(57)【要約】【課題】  製造作業を容易に行うことができ、商品管理だけでなく、売り手と買い手をつなぐための販促ツールとして有効に使用することができる下げ札を提供する点にある。【解決手段】  ほぼ長方形状に形成された一枚の本体部３の長手方向中央部から長手方向一端側へ寄った位置を境界線として折り畳まれた短辺部分３ａと長辺部分３ｂとからなり、それら折り畳まれた短辺部分３ａと長辺部分３ｂの接触面３Ａ，３Ｂ間に、それら両者を疑似接着するための疑似接着層５を備えさせ、短辺部分３ａの表面と、短辺部分３ｂの表面と同一面側に露呈される長辺部分３ｂの表面に同一の管理コード６，７，８を印字し、長辺部分３ｂにおける管理コード８が印字された部位３Ｇを切り離し可能とした。【選択図】        図１
2005091450.tif 000002
【特許請求の範囲】
【請求項１】
商品等の対象物に下げて使用するための下げ札であって、ほぼ長方形状に形成された一枚の本体部の長手方向中央部から長手方向一端側へ寄った位置を境界線として折り畳まれた短辺部分と長辺部分とからなり、それら折り畳まれた短辺部分と長辺部分の接触面間に、それら両部分を疑似接着するための疑似接着層を備えさせ、前記短辺部分の表面の所定箇所に管理コードを印字すると共に、前記短辺部分の表面と同一面側に露呈される前記長辺部分の表面の所定箇所に前記管理コードと同一の管理コードを印字し、前記長辺部分における前記管理コードが印字された部位を切り離し可能とする切り取り用ミシン目を該長辺部分に形成したことを特徴とする下げ札。
【請求項２】
商品等の対象物に下げて使用するための下げ札であって、ほぼ長方形状に形成された一枚の本体部の長手方向中央部から長手方向一端側へ寄った位置を境界線として折り畳まれた短辺部分と長辺部分とからなり、それら折り畳まれた短辺部分と長辺部分の接触面間に、それら両部分を疑似接着するための疑似接着層を備えさせ、前記短辺部分に、前記長辺部分の一部を露呈させるための切欠きを形成し、前記切欠きを通して露呈された長辺部分の表面に管理コードを印字すると共に、前記短辺部分の表面と同一面側に露呈される前記長辺部分の表面の所定箇所に前記管理コードと同一の管理コードを印字し、前記長辺部分における前記管理コードが印字された部位を切り離し可能とする切り取り用ミシン目を該長辺部分に形成したことを特徴とする下げ札。
【請求項３】
前記短辺部分の表面と同一面側に露呈される前記長辺部分の表面の２箇所に前記管理コードを印字し、それら２つの管理コードのうちの一方の管理コードが印字された部位のみを切り取り可能とする切り取り用ミシン目をそれら両コード間に位置する状態で前記長辺部分に形成してなる請求項１又は２記載の下げ札。
【請求項４】
前記短辺部分の表面に印字される管理コードの印字位置を該短辺部分の本体部長手方向一端側箇所に設定してなる請求項１〜３のいずれかに記載の下げ札。
【請求項５】
前記疑似接着された長辺部分に切り離し可能な環状の切り取り用ミシン目を形成してなる請求項１〜４のいずれかに記載の下げ札。
【発明の詳細な説明】
【技術分野】
【０００１】
本発明は、商品等の対象物に下げて使用するための下げ札に係わり、更に詳しくは、売り手と買い手をつなぐ販促ツールとして有効に使用することができる下げ札に関するものである。
【背景技術】
【０００２】
従来は、商品に関する固定情報が印刷された紙製の本体部の表裏両面のうちの一方の面に、粘着剤層を備えさせ、商品名などが印字された残片部及び切り込み部を介して連結されると共に値段などの可変情報が印刷された切片部とからなるラベルをそれの残片部の全部及び切片部の一部が粘着剤層を介して固定された状態で本体部に備えさせ、前記残片部と切片部との間に跨った状態でバーコードを印字して、下げ札を構成したものが提案されている（例えば、特許文献１参照）。尚、商品の販売時や納品時等に商品管理用として切片部を切り離しても、残片部側に残っているバーコードを読み取ることができるようになっている。
【特許文献１】特開２００２−１４９０６９号公報
【発明の開示】
【発明が解決しようとする課題】
【０００３】
上記特許文献１の下げ札は、別に構成されたラベルを本体部に貼り付けるときに、本体部の長さ方向及び幅方向のいずれの方向に対してもラベルを慎重に位置合わせしなければならず、製造作業が手間のかかる煩わしいものになっていた。
また、ラベルを貼り合わせる部分に、本体部の半分以上の面積を有する粘着剤層を備えさせなければならないため、その部分における印刷を行うことができないため、商品説明などを十分に行うためのスペースを本体部に十分に確保することができないものであり、販促ツールとして使用することができないものであった。
【０００４】
本発明が前述の状況に鑑み、解決しようとするところは、製造作業を容易に行うことができ、商品管理だけでなく、売り手と買い手をつなぐための販促ツールとして有効に使用することができる下げ札を提供する点にある。
【課題を解決するための手段】
【０００５】
本発明は、前述の課題解決のために、商品等の対象物に下げて使用するための下げ札であって、ほぼ長方形状に形成された一枚の本体部の長手方向中央部から長手方向一端側へ寄った位置を境界線として折り畳まれた短辺部分と長辺部分とからなり、それら折り畳まれた短辺部分と長辺部分の接触面間に、それら両部分を疑似接着するための疑似接着層を備えさせ、前記短辺部分の表面のうちの所定箇所に管理コードを印字すると共に、前記短辺部分の表面と同一面側に露呈される前記長辺部分の表面の所定箇所に前記管理コードと同一の管理コードを印字し、前記長辺部分における管理コードが印字された部位を切り離し可能とする切り取り用ミシン目を該長辺部分に形成して、下げ札を構成した。
又、商品等の対象物に下げて使用するための下げ札であって、ほぼ長方形状に形成された一枚の本体部の長手方向中央部から長手方向一端側へ寄った位置を境界線として折り畳まれた短辺部分と長辺部分とからなり、それら折り畳まれた短辺部分と長辺部分の接触面間に、それら両部分を疑似接着するための疑似接着層を備えさせ、前記短辺部分に、前記長辺部分の一部を露呈させるための切欠きを形成し、前記切欠きを通して露呈された長辺部分の表面に管理コードを印字すると共に、前記短辺部分の表面と同一面側に露呈される前記長辺部分の表面の所定箇所に前記管理コードと同一の管理コードを印字し、前記長辺部分における管理コードが印字された部位を切り離し可能とする切り取り用ミシン目を該長辺部分に形成して、下げ札を構成してもよい。
又、前記短辺部分の表面と同一面側に露呈される前記長辺部分の表面の２箇所に前記管理コードを印字し、それら２つの管理コードのうちの一方の管理コードが印字されている部位のみを切り取り可能とする切り取り用ミシン目をそれら両コード間に位置する状態で前記長辺部分に形成してもよい。
又、前記短辺部分の表面に印字される管理コードの印字位置を該短辺部分の本体部長手方向一端側箇所に設定してもよい。
又、前記疑似接着された長辺部分に切り離し可能な環状の切り取り用ミシン目を形成してもよい。
【発明の効果】
【０００６】
表裏両面に文字や図柄などが印刷された一枚の本体部をそれの長手方向中央部から長手方向一端側へ寄った位置を境界線として折り畳むことによって、それら両者を疑似接着層により接着固定することができ、従来のように長さ方向の位置合わせのみで幅方向の位置合わせを不要にすることができ、その分迅速に折り畳むことができる。しかも、疑似接着層を備える両面を印刷面として利用することによって、商品説明を行うための印刷スペースを増大させることができ、販促ツールとして十分使用することができる下げ札を提供することができる。又、前記疑似接着層にて短辺部分と長辺部分とが接着されて見えない状態となっていることから、それら接着面に商品の情報や割引券あるいは当たりくじなどを印刷しておくことによって、購入者は見たいという思いになり、更に販促ツールとして十分使用することができる下げ札にすることができる。更には、本体部を折り曲げてから本体部を構成する一方の短辺部分の表面のうちの所定箇所に管理コードを印字すると共に、短辺部分の表面と同一面側に露呈される他方の長辺部分の表面の所定箇所に前記管理コードと同一の管理コードを印字することによって、片面だけの処理で可能になる。また、一般的な平版（オフセット）印刷方式の印刷機にて印刷することができ、例えば本体部を折り曲げる前に印刷する場合に両面印刷が可能な印刷機にて本体部の両面のそれぞれに管理コードを印字する構成に比べて、コスト面において有利になる。又、短辺部分の端部と長辺部分の端部とをずらせていることから、短辺部分を長辺部分に対して剥がし易くなり、使用しやすい下げ札とすることができる。尚、前記管理コードが印字された長辺部分の特定部位を切り離し可能とする切り取り用ミシン目を長辺部分に備えさせることによって、商品の納品時や販売時において迅速に管理コードの特定部位を切り離してそれを商品管理用として利用することができる。又、前記短辺部分に、前記長辺部分の一部を露呈させるための切欠きを形成し、前記切欠きを通して短辺部分の表面と同一面側に露呈された長辺部分の表面に管理コードを印字して下げ札としてもよい。
【０００７】
短辺部分の表面と同一面側に露呈される前記長辺部分の表面の２箇所に前記管理コードを印字し、それら２つの管理コードのうちの一方の管理コードが印字された部位のみを切り取り可能とする切り取り用ミシン目をそれら両コード間に位置する状態で前記長辺部分に形成することによって、３つの管理コードのうち商品管理用のものと、商品販売時の管理用のものと、購入した購入者用のものとして利用することができ、使用範囲の拡大を図ることができる。
【０００８】
短辺部分の表面に印字される管理コードの印字位置を該短辺部分の本体部長手方向一端側箇所に設定することによって、同一面側の長辺部分の表面に印字される管理コードに近づけて備えさせることができるから、短辺部分の管理コードを印字してから長辺部分の管理コードへの印字を開始するまでの時間を短くすることができるだけでなく、ハンド式の読み取り機にて読み込ませる場合に、どちらの管理コードを読み取らせても良く、読み取り時間の短縮化を図ることができる。
【０００９】
疑似接着された長辺部分に切り離し可能な環状の切り取り用ミシン目を形成し、その環状内に前記管理コードと同一の管理コードを印字することによって、商品購入者は、切り取り用ミシン目に沿って切り取り、その切り取った環状の板状体（板状カード）を購入した店に持って行き、板状体の管理コードを読み取らせることにより、購入した商品の情報やアンケートなどにより予め入力していた購入者に関する情報などを引き出して、購入者の好みの商品を購入者に勧めることができ、商品販売に役立つツールとして利用することができる。
【発明を実施するための最良の形態】
【００１０】
図１（ａ）に、例えば商品の一例である衣服（対象物）の特定のボタンに吊り下げて使用するための長方形の下げ札１を示している。前記下げ札１は、図１（ａ），（ｂ），（ｃ），（ｄ）に示すように、前記ボタンに引っ掛けて吊り下げるための紐（輪ゴムや樹脂製のフックなどでもよい）からなる吊り下げ部２と、表裏両面に印字可能で、かつ、２つに折り畳まれてなる紙製の本体部３と、図３（ａ）前記折り畳まれて対向位置する接触面３Ａ，３Ｂに感熱性接着剤等により永久接着された透明のフィルム４，４と、これらフィルム４，４それぞれの表面に形成された剥離可能で再接着不可能な疑似接着層５とから構成している。前記疑似接着層５は、一方のフィルム４の表面又は両方のフィルム４，４の表面に備えさせて実施することになる。尚、図３では、後述する長辺部分３ｂに対して短辺部分３ａを上方から押し付けて疑似接着する直前の状態を示している。又、図３では、後述するカードＫの印鑑を押す部分が、フィルム４にて覆われることがないようにしているが、印鑑を押す部分が無いカードＫで有る場合には、カードＫの表面全体をフィルム４にて覆うようにしてもよい。前記フィルム４の表面に予め疑似接着層５を備えさせてなる疑似接着層５付きフィルム４を用いると、作業性が良くなる利点がある。又、コスト面からニスや糊などの疑似接着剤を用いて疑似接着層５を構成してもよい。又、前記本体部３の外面に印刷した後にその本体部３の外面に耐摩耗性を有する合成樹脂層を形成して、外面に印刷した文字や図等が他物との擦れ合いにより掠れることがない利点があるが、前記合成樹脂層は必ずしも必要ではない。前記下げ札１を紙で構成することによって、コスト面及び折り曲げ加工面において有利であるが、合成樹脂等の他の材料で構成してもよい。
【００１１】
前記下げ札１について詳述すれば、図２（ａ）に示すように、長方形に形成された一枚の紙からなる前記本体部３の表裏両面に印刷したい図や文字などを予め印刷し、その印刷された本体部３の長手方向中央部から長手方向一端側へ寄った位置を境界線（折り曲げ部）３Ｃとして折り畳まれた短辺部分３ａと長辺部分３ｂの重ね合わせ部分の接触面３Ａ，３Ｂに前記疑似接着層５（図１（ｄ）参照）を備えさせ、図２（ｂ）に示すように、前記境界線３Ｃにて本体部３を折り畳むことにより短辺部分３ａを長辺部分３ｂに疑似接着する。次に、図２（ｃ）に示すように、短辺部分３ａの長手方向遊端側（長辺部分３ｂと離れる側の端部）箇所、接着された短辺部分３ａの表面と同一側に露呈される長辺部分３ｂの表面３Ｂの長手方向２箇所に、幅方向に沿って同一のバーコード６，７，８をそれぞれ同一方向を向いた状態で印字することによって、下げ札１を構成している。前記尚、図２（ａ），（ｂ），（ｃ）に示す３Ｋは、前記吊り下げ部２を通してそれの一端を保持させるための開口部であり、前記印刷する前に予め形成しておいてもよいし、印刷後に形成してもよい。
前記長辺部分３ｂに、それの表面に印字した２つのバーコード７，８間に位置させて切り取り用ミシン目３Ｆを形成してあり、商品納品時や商品購入時に長辺部分３ｂの遊端部側（図では下側）に印字されたバーコード８を備えた部位３Ｇを切り離して商品管理用として店側で保管するようにしている。ここでは、管理コードの一例として、バーコード（無線で情報収集が行えると共に情報量を多くすることが可能な二次元バーコードでもよい）を説明しているが、数字、ＩＤ番号、絵柄、マークなどを印字（印刷）してもよいし、あるいはそれらを２つ以上組み合わせたものを印字（印刷）してもよい。図８に、アルファベットと数字の組み合わせからなる管理コード９を図の３箇所に印字している場合を示し、前記切り取り用ミシン目３Ｆにて切り離せる部分３Ｇには、管理コード９と共にバーコード８も印字している。また、図９では、前記バーコード８に代えて、立体バーコード１０を備えさせた下げ札１を示している。この場合には、前記切り取り用ミシン目３Ｆにて切り離せる部分３Ｇの端部に、型を用いて凹凸パターンを形成して前記立体バーコード１０を備えさせることになる。
【００１２】
図１（ｂ）及び図２（ａ）に示すように、前記短辺部分３ａの表面には、複数のアンケート事項が記載されており、商品を購入した購入者が、商品購入後においてその場でそれらアンケート事項に対する回答を記入し、記入した短辺部分３ａを切取用ミシン目３Ｄを介して切り取って店員へ提出するか、又は商品と共に持ち帰ってアンケート事項に対する回答を記入した後、短辺部分３ａを切取用ミシン目３Ｄを介して切り取って購入した店に郵送することになる。店側は、前記受け取った短辺部分３ａに記載されている事項をコンピュータを用いてコンピュータ内に備えている記憶手段に記憶させておくことになる。前記複数のアンケート事項は、図示していないが、例えば商品を買ったきっかけ、買われた商品がだれのために買ったものであるか、買われた商品以外にほしい商品があるかなどの質問事項の他、住所、氏名、性別、生年月日、ｅ−ｍａｉｌアドレス番号などの所定事項などがあるが、これら事項に限定されるものではない。
又、前記短辺部分３ａの裏面に、当たりの文字が印字されていれば、当たり券となり、店側から割引券や商品などをもらうことができるようになっており、商品を購入した時点では、前記疑似接着層にて外部から短辺部分３ａの裏面を見ることができないため、特に当たり券などを下げ札に利用する場合には、見たいという思いになり、購入者に引き付ける効果を与えることができる。
【００１３】
又、前記長辺部分３ｂの疑似接着層にて見えない部分に、商品についての詳しい解説を印刷しているだけでなく、その部分を環状の切取線３Ｅにて切り取り可能に構成しており、その部分を切り取るだけで、カードＫとして使用することができるようになっている。そして、前記カードＫの一端を短辺部分３ａからはみ出した状態としておき、そのはみ出した部分に前記バーコード７を印字することにより、そのカードＫを来店時に店側に渡して読み取る、あるいは持参者が自ら自動読み取り機にて読み取らせることにより購入された商品のデータ、つまり商品名、サイズ、色、製造者などが判明し、前記アンケート情報が入力されている場合には、前記情報、つまり住所、氏名、性別、生年月日、ｅ−ｍａｉｌアドレス番号の他、アンケートの応答結果などが判明するようになっている。尚、カードＫを読み取らせることにより、ポイントをコンピュータ内に蓄積し、商品購入時などに商品価格から差し引くことを行うようにしてもよい。
【００１４】
図４に示すように、前記カードＫが１，０００円のチケット券であってもよい。又、図４では、カードＫに印字するバーコード７を短辺部分３ａにて覆い隠れる箇所になるように設定している。この場合、短辺部分３ａの表面に印字されるバーコード６（図示せず）とこれと同一面側に露呈される長辺部分３ｂの表面に印字されるバーコード８の２つのバーコードが露呈された状態となる。他の説明しなかった部分は、図１のものと同様である。
【００１５】
図５（ａ），（ｂ）に示すように、カードＫのバーコード７部分を除いたほとんどの部分を短辺部分３ａにて覆い隠すように短辺部分３ａに開口３Ｘを形成したものから構成してもよい。この場合も、図５（ｂ）に示すように、３つの同一のバーコード６，７，８が同一面側に露呈された状態になっている。
【００１６】
図６（ａ），（ｂ）では、短辺部分３ａの幅方向一端に切欠き部３Ｙを形成してカードＫに印字されるバーコード７を含めて合計３つのバーコード６，７，８を同一面側へ露呈することができるようになっている。この場合、切欠き部３Ｙを通して露呈されるバーコード７が他のバーコード７と直交する向きに印字したもの、つまり本体部３の長手方向に沿う姿勢に印字されたものになっており、２方向から読み取ることができるようになっている。
【００１７】
図７（ａ），（ｂ）では、アンケートを短辺部分３ａの裏面に印刷したものを示し、又、長辺部分３ｂの接着面にインターネット販売も行っている説明文やホームページにアクセスするためのパスワードなどを印字している。そして、印字が終了した後において、前述同様に長辺部分３ｂと短辺部分３ａとの接触面を疑似接着することによって、アンケートやインターネットのパスワードなどが見えないようになっている。従って、商品購入者は、商品と共に下げ札を持ち帰ってから長辺部分３ｂと短辺部分３ａとを剥がしてから、アンケートに回答を記載した後、それを郵送することになる。
【産業上の利用可能性】
【００１８】
本発明は、衣類に下げる下げ札として利用できる他、インテリア品や電気機器あるいは食品などにおいても適応することができる。又、バーコード（管理コード）を、短辺部分３ａ及び長辺部分３ｂにそれぞれ印字した少なくとも２つ以上のバーコード（管理コード）が同一面側に露呈される下げ札に構成することができるが、３つ以上設けることによって、取扱面において有利になる利点がある。又、前記カードＫは、会員券やチケット券あるいはインターネットカードの他、保証書や割引券などどのようなものであってもよい。
【図面の簡単な説明】
【００１９】
【図１】下げ札を示し、（ａ）は短辺部分と長辺部分とが疑似接着された下げ札の正面図、（ｂ）は短辺部分を長辺部分に押し付けて疑似接着する直前の状態を示す展開図、（ｃ）は（ｂ）を反対側から見た背面図、（ｄ）は（ａ）で示した下げ札を上下方向から切断した断面図である。
【図２】下げ札の製造工程を示し、（ａ）図や文字を印刷した後の本体部を示す正面図、（ｂ）は境界線にて折り畳んだ状態を示す下げ札の正面図、（ｃ）は３つのバーコードを印字して完成した下げ札の正面図である。
【図３】長辺部分に対して短辺部分を押し付けて両者を疑似接着する直前の状態を示す縦断側面図である。
【図４】別の下げ札を示す展開図である。
【図５】別の下げ札を示し、（ａ）はそれの展開図、（ｂ）はそれの正面図である。
【図６】別の下げ札を示し、（ａ）はそれの展開図、（ｂ）はそれの正面図である。
【図７】別の下げ札を示し、（ａ）はそれの展開図、（ｂ）はそれの正面図である。
【図８】別の下げ札を示す正面図である。
【図９】別の下げ札を示す正面図である。
【符号の説明】
【００２０】
３Ｅ  切取線
１  下げ札
２  吊り下げ部
３Ｘ  口
３Ｃ  境界線
３  本体部
３Ｋ  開口
３Ｄ  切取線
３ａ  短辺部分
３ｂ  長辺部分
３Ｂ  表面
３Ｙ  切欠き部
５  疑似接着層
６，７，８  バーコード
３Ａ，３Ｂ  接触面
４  フィルム
【図１】
2005091450.tif 000003
【図２】
2005091450.tif 000004
【図３】
2005091450.tif 000005
【図４】
2005091450.tif 000006
【図５】
2005091450.tif 000007
【図６】
2005091450.tif 000008
【図７】
2005091450.tif 000009
【図８】
2005091450.tif 000010
【図９】
2005091450.tif 000011